(57)【要約】【課題】施工や点検作業を容易に行うことができる浴室構造を提供する。【解決手段】床パン１は、洗い場の床を構成する洗い場部２と、該洗い場部２の浴槽側の端縁から立ち上げられた立上部３と、該立上部３の上端部から洗い場と反対側に向けて突出する浴槽上縁部９とを備えている。立上部３が洗い場部２の浴槽側の端縁に亘る枠状に形成されると共に、該枠状の立上部３の内側に洗い場部２の略全長に亘る点検口１１が形成されている。立上部３に点検口１１の全体を覆うエプロン１２が着脱自在に取り付けられる。【選択図】図１
2011004989.tif 000002
【特許請求の範囲】
【請求項１】
床パンは、洗い場の床を構成する洗い場部と、該洗い場部の浴槽側の端縁から立ち上げられた立上部と、該立上部の上端部から洗い場と反対側に向けて突出する浴槽上縁部とを備え、前記立上部が洗い場部の浴槽側の端縁に亘る枠状に形成されると共に、該枠状の立上部の内側に洗い場部の略全長に亘る点検口が形成され、前記立上部に点検口の全体を覆うエプロンが着脱自在に取り付けられることを特徴とする浴室構造。
【発明の詳細な説明】
【技術分野】
【０００１】
本発明は洗い場を構成する床パンを備えた浴室構造に関する。
【背景技術】
【０００２】
従来の床パンとして、洗い場の床を構成する洗い場部と、洗い場部から立ち上げられたエプロン部とを一体に備えたものが知られている。
【０００３】
ところで、床パンの設置後にはエプロンの裏側において水栓と給水管を接続する作業を行ったり、浴槽にジェットバス装置等の付属装置を取り付けたり、これら配管や付属装置等の点検を行ったり、あるいは床パンや浴槽の底面に設けられるアジャスターボルトを操作して高さ調整が行われたりする。
【０００４】
ここで、特許文献１のエプロン部の両側端部には点検口が形成され、各点検口は着脱自在な点検蓋で覆われている。このため前記点検蓋を取り外せば、点検口を利用して前述の作業を行うことは可能である。
【先行技術文献】
【特許文献】
【０００５】
【特許文献１】特開２００１−７８９１２公報
【発明の概要】
【発明が解決しようとする課題】
【０００６】
しかし、特許文献１にあっては洗い場部の浴槽側の端縁と浴槽の洗い場部側の上端部との間の大部分がエプロン部によって閉塞され、また、エプロン部の各点検口の開口面積が小さい。このため床パン設置後の作業の際、各点検口から離れた位置に手が届き難く、また視認し難いという問題がある。また、床パンの重量が大きく、この点は床パン搬送者の作業負担を大きくする要因となる。
【０００７】
本発明は上記従来の事情に鑑みてなされたものであって、施工や点検作業を容易に行うことができる浴室構造を提供することを課題とする。
【課題を解決するための手段】
【０００８】
上記課題を解決するために本発明の浴室構造は以下の構成を有する。床パン１は、洗い場の床を構成する洗い場部２と、該洗い場部２の浴槽側の端縁から立ち上げられた立上部３と、該立上部３の上端部から洗い場と反対側に向けて突出する浴槽上縁部９とを備えている。また、前記立上部３が洗い場部２の浴槽側の端縁に亘る枠状に形成されると共に、該枠状の立上部３の内側に洗い場部２の略全長に亘る点検口１１が形成されている。そして、前記立上部３に点検口１１の全体を覆うエプロン１２が着脱自在に取り付けられることを特徴としている。
【０００９】
この構成を有する浴室構造にあっては、点検口１１から手を入れて施工作業や点検作業を行うことができる。そして、この点検口１１は洗い場部２の略全長に亘り、開口面積が大きいため、前記施工作業や点検作業を容易に行うことができる。また、立上部３には開口面積の大きな点検口１１が形成されるので、床パン１を軽量化でき、床パン搬送者の作業負担を軽減できる。
【発明の効果】
【００１０】
本発明にあっては、開口面積の大きな点検口から手を入れて施工作業や点検作業を容易に行うことができ、尚且つ床パンを軽量化でき、床パン搬送者の作業負担を軽減できる。
【図面の簡単な説明】
【００１１】
【図１】本発明の実施形態の一例の浴室構造を示す分解斜視図である。
【図２】同上の平面図である。
【図３】同上の要部の側断面図である。
【図４】図２のＡ−Ａ断面図である。
【図５】図４においてエプロンを取り外した状態を示す断面図である。
【発明を実施するための形態】
【００１２】
以下、添付図面に基づいて本発明の実施形態の一例につき説明する。本例の浴室は、洗い場側及び浴槽側のうち洗い場側にのみ床パン１が配置される床ハーフ方式の浴室ユニットで構成され、洗い場部２と浴槽部５とを一体に備えた床パン１（ハーフユニット）と、壁を構成する壁パネル（図示せず）と、天井を構成する天井パネル（図示せず）を備えている。
【００１３】
床パン１はＦＲＰ等の合成樹脂成形品からなる。図１に示すように、床パン１は、洗い場部２と、洗い場部２の浴槽側の端縁から立上げられた立上部３と、立上部３の上端に接続されて浴槽として利用される浴槽部５とで構成されている。洗い場部２、立上部３、及び浴槽部５は一体に形成されている。
【００１４】
図２に示すように床パン１は平面視矩形状に形成され、平面視略矩形状の洗い場部２の外縁と、平面視略矩形状の浴槽部５の外縁とで外周縁が構成されている。床パン１の外周縁には前記壁パネルやドア枠が載置される載置部６が形成されている。なお、図２の符号７は洗い場部２上の水を排出するための排水口部である。
【００１５】
浴槽部５は平面視で洗い場部２の長手方向に長い略長方形状に形成され、上方に開口する槽状部８と、槽状部８の上縁から外方に突出するフランジ状の浴槽上縁部９とで構成されている。浴槽上縁部９は槽状部８の外周に亘って一体に形成され、この浴槽上縁部９の洗い場側を除く外縁に前記載置部６が形成されている。
【００１６】
図４に示すように洗い場部２の下面及び浴槽部５の下面には複数のアジャスターボルト１０が螺設され、各アジャスターボルト１０は床スラブや架台等の設置部に設置される脚部として利用される。各アジャスターボルト１０の下方への突出量は床パン１に螺合したアジャスターボルト１０を回動することで変更でき、これによって床パン１の高さ調節を行うことができる。なお、洗い場部２や浴槽部５に設けられる脚部は前記アジャスターボルト１０に限定されず、その他の床パン１の高さ調整し得るものであってもよく、また、高さ調整機能を有さないものであってもよい。
【００１７】
図５に示すように洗い場部２と浴槽部５を接続する立上部３は洗い場部２の長手方向の全長に亘る枠状に形成されている。前記浴槽上縁部９は立上部３の上縁から洗い場側とは反対側に向けて一体に突出し、この浴槽上縁部９で槽状部８が支持されている。
【００１８】
枠状の立上部３の内側には洗い場側から見て左右に長い長方形状の点検口１１が形成されている。点検口１１は洗い場部２（槽状部８）の長手方向の略全長に亘り、この点検口１１を介して槽状部８を洗い場側に大きく露出させることができる。
【００１９】
立上部３には取付具１３が設けられ、該取付具１３はエプロン１２が取り外し可能に取り付けられるエプロン取付部として利用される。取付具１３は洗い場側から見て点検口１１よりも一回り大きい矩形枠状に形成されている。取付具１３の各辺は断面略Ｃ字状の長尺なフレーム材１５で構成され、洗い場側となる前方に向けて開口している。
【００２０】
各フレーム材１５は、背面を構成する固定片部１６と、固定片部１６の幅方向の両端から前方に突出する突片部１７と、各突片部１７の先端から幅方向の内側に向けて突出する係合部１８ａとで構成され、両係合部１８ａで係止部１８が構成されている。
【００２１】
取付具１３は立上部３の前面に点検口１１を囲むように取り付けられる。具体的には、点検口１１に沿って配置した各フレーム材１５の固定片部１６に洗い場側から複数のビス１９を挿通し、各ビス１９を立上部３に固着することで立上部３に取り付けられる。
【００２２】
各フレーム材１５の内部には止水用のパッキン２０が各ビス１９を覆うようにフレーム材１５の内面に貼り付けられ、この各フレーム材１５に収納されたパッキン２０によって洗い場側の水が各ビス１９を挿通させた固定片部１６の孔や立上部３の孔から漏れ出したり、点検口１１側に漏れ出すことが防止される。
【００２３】
エプロン１２は合成樹脂製であり、前記取付具１３を介して立上部３の前面に取り付けられる。このようにエプロン１２を床パン１と別体とすることで、例えばエプロン１２を射出成形品とすることができ、また床パン１よりも軽量のＡＢＳ等の合成樹脂で成形することができて設置部にかかる荷重を軽減できる。エプロン１２は、洗い場部２の長手方向の略全長に亘る表面部２１と、表面部２１の背面において取付具１３に対応する位置に形成された被係止部２２とで構成されている。
【００２４】
被係止部２２は各フレーム材１５に対応する位置に設けられ、対応するフレーム材１５の幅方向に離間した一対の突出片２２ａで構成されている。各突出片２２ａは表面部２１から背方に向けて一体に突出し、その先端には係合部１８ａが係合可能な被係合部２３が突出形成されている。
【００２５】
エプロン１２は、前記一対の突出片２２ａの被係合部２３を対応するフレーム材１５に前方から挿入して被係合部２３に係合し、これによって被係止部２２を係止部１８に係止することで取付具１３に着脱自在に取り付けられる。
【００２６】
このように立上部３に取り付けられたエプロン１２は、取付具１３と共に立上部３の略全体を前方から覆い、点検口１１の全体を覆い隠す。エプロン１２の上縁から背方に突出した上縁片２５の先端は立上部３の前面上端部に当接又は近傍に位置し、洗い場側の浴槽上縁部９の上面と上縁片２５の上面が面一とされ、これによってエプロン１２を浴槽に一体的に取り付けたような外観となっている。
【００２７】
以上説明した浴室構造では、床パン１の設置後に立上部３に形成された点検口１１から手を入れて、立上部３の後方に配置された水栓と給水管を接続する作業を行ったり、浴槽にジェットバス装置等の付属装置を取り付けたりすることができる。そして、この点検口１１は洗い場部２の略全長に亘り開口面積が大きいため、浴槽側の広い範囲に手が届き、前記作業を容易に行うことができる。また、点検口１１から槽状部８と立上部３の間に形成された隙間を介して洗い場部２や槽状部８の下方に手を入れ、床パン１の底面に設けられたアジャスターボルト１０を操作して床パン１の高さ調整を行うこともできる。殊に洗い場部２の浴槽側や槽状部８の洗い場側等の点検口１１から比較的近い位置に設けられたアジャスターボルト１０を容易に操作することができて便利である。また、枠状の立上部３の内側に大きな点検口１１を形成することで床パン１を軽量化でき、エプロン１２を取り外した状態で床パン１を設置部上に搬送等する際には、搬送者の作業負担を軽減できる。
【００２８】
また、前記係合部１８ａと被係合部２３の係合を解除することによりエプロン１２を立上部３から取り外すことができ、前記配管や付属装置等の点検も点検口１１を利用して容易に行うことができる。
【００２９】
なお、本例の立上部３及び浴槽部５は洗い場部２と一体に形成したが、立上部３及び浴槽部５は共に洗い場部２と別体であってもよい。また、槽状部８は浴槽上縁部９と一体に形成されているが、浴槽上縁部９と別体に形成されるものであってもよい。また、本例の床パン１は洗い場を構成する部分と浴槽を設置する部分のうち洗い場を構成する部分のみを有するものであるが、洗い場を構成する部分と浴槽を設置する部分の両方を有するものであってもよい。
【符号の説明】
【００３０】
１  床パン
２  洗い場部
３  立上部
９  浴槽上縁部
１１  点検口
１２  エプロン
【図１】
2011004989.tif 000003
【図２】
2011004989.tif 000004
【図３】
2011004989.tif 000005
【図４】
2011004989.tif 000006
【図５】
2011004989.tif 000007